(57)【要約】【課題】汚泥の乾燥に要する設備コストやランニングコストを低減するとともに、汚泥の乾燥に要する処理時間を短縮すること。【解決手段】本発明では、汚泥を乾燥させるための汚泥乾燥装置において、汚泥を収容するための汚泥収容槽に汚泥を循環させるための汚泥循環手段を設けるとともに、この汚泥循環手段に汚泥を加熱するための加熱手段を設けることにした。また、前記汚泥循環手段は、汚泥を撹拌しながら搬送することによって汚泥を循環させるように構成することにした。さらに、前記汚泥循環手段は、汚泥収容槽の底部に汚泥循環通路の入口を形成するとともに、前記汚泥収容槽の上部開口部に前記汚泥循環通路の出口を形成することにした。【選択図】図６
2007139365.tif 000002
【特許請求の範囲】
【請求項１】
汚泥を乾燥させるための汚泥乾燥装置において、
汚泥を収容するための汚泥収容槽に汚泥を循環させるための汚泥循環手段を設けるとともに、この汚泥循環手段に汚泥を加熱するための加熱手段を設けたことを特徴とする汚泥乾燥装置。
【請求項２】
前記汚泥循環手段は、汚泥を撹拌しながら搬送することによって汚泥を循環させるように構成したことを特徴とする請求項１に記載の汚泥乾燥装置。
【請求項３】
前記汚泥循環手段は、汚泥収容槽の底部に汚泥循環通路の入口を形成するとともに、前記汚泥収容槽の上部開口部に前記汚泥循環通路の出口を形成したことを特徴とする請求項１又は請求項２に記載の汚泥乾燥装置。
【発明の詳細な説明】
【技術分野】
【０００１】
本発明は、汚泥を乾燥させるための汚泥乾燥装置に関するものである。
【背景技術】
【０００２】
従来より、下水汚泥などの汚泥は、多量の水分を含有しているために、堆肥などに有効利用する場合に、汚泥乾燥装置を用いて乾燥処理されている。
【０００３】
この汚泥乾燥装置としては、汚泥を収容するための汚泥収容槽の外周に加熱手段を設け、この加熱手段によって汚泥収容槽の内部全体を加熱し、汚泥収容槽の内部に収容した汚泥全体を同時に加熱して、汚泥に含有されている水分を蒸発させることによって汚泥を乾燥させるように構成していた（たとえば、特許文献１参照。）。
【特許文献１】特開２００２−３５７９６号公報
【発明の開示】
【発明が解決しようとする課題】
【０００４】
ところが、上記従来の汚泥乾燥装置では、加熱手段で汚泥収容槽の内部全体を加熱することによって、汚泥収容槽の内部に収容した汚泥全体を同時に加熱して、汚泥全体を同時に乾燥させるように構成していたために、加熱手段として大掛かりな装置が必要となり、乾燥処理に多大なエネルギー（火力や電力など）を要していた。
【０００５】
そのため、従来の汚泥乾燥装置では、設備コストが増大してしまうとともに、汚泥の乾燥処理を行うためのランニングコストも増大してしまうといった問題があった。
【０００６】
また、上記従来の汚泥乾燥装置では、汚泥全体を同時に加熱して乾燥させていたために、汚泥全体が水分を蒸発させる温度にまで達するのに時間がかかってしまい、汚泥の乾燥処理に要する時間が増大してしまうといった問題もあった。
【課題を解決するための手段】
【０００７】
そこで、請求項１に係る本発明では、汚泥を乾燥させるための汚泥乾燥装置において、汚泥を収容するための汚泥収容槽に汚泥を循環させるための汚泥循環手段を設けるとともに、この汚泥循環手段に汚泥を加熱するための加熱手段を設けることにした。
【０００８】
また、請求項２に係る本発明では、前記請求項１に係る本発明において、前記汚泥循環手段は、汚泥を撹拌しながら搬送することによって汚泥を循環させるように構成することにした。
【０００９】
また、請求項３に係る本発明では、前記請求項１又は請求項２に係る本発明において、前記汚泥循環手段は、汚泥収容槽の底部に汚泥循環通路の入口を形成するとともに、前記汚泥収容槽の上部開口部に前記汚泥循環通路の出口を形成することにした。
【発明の効果】
【００１０】
そして、本発明では、以下に記載する効果を奏する。
【００１１】
すなわち、請求項１に係る本発明では、汚泥を乾燥させるための汚泥乾燥装置において、汚泥を収容するための汚泥収容槽に汚泥を循環させるための汚泥循環手段を設けるとともに、この汚泥循環手段に汚泥を加熱するための加熱手段を設けているために、加熱手段によって汚泥収容槽の内部の汚泥を全体的に同時に加熱する必要がなくなり、汚泥循環手段によって循環する汚泥だけを加熱手段で加熱すればよくなる。
【００１２】
そのため、加熱手段で加熱する汚泥の量を少なくすることができ、これによって、加熱手段として小規模な装置を使用することができ、乾燥処理に要するエネルギー（火力や電力など）を低減することができるので、汚泥乾燥装置に要する設備コストやランニングコストを低減することができる。
【００１３】
しかも、加熱手段で加熱する汚泥の量が少なくなることで、汚泥の内部の水分が蒸発する温度に達するまでの時間を短くすることができ、汚泥の乾燥処理に要する時間を短縮することができる。
【００１４】
また、請求項２に係る本発明では、汚泥循環手段を、汚泥を撹拌しながら搬送することによって汚泥を循環させるように構成しているために、循環する汚泥を全体的に均一に加熱することができ、循環する汚泥を全体的に均一に乾燥させることができる。
【００１５】
また、請求項３に係る本発明では、汚泥循環手段として、汚泥収容槽の底部に汚泥循環通路の入口を形成するとともに、汚泥収容槽の上部開口部に汚泥循環通路の出口を形成しているために、汚泥循環通路で加熱された汚泥が汚泥収容槽の上部開口部で大気に開放されることになり、加熱により生じた蒸気を良好に大気に放出することができるので、循環された汚泥が蒸気を含有したまま汚泥収容槽に戻ることがなく、汚泥収容槽で蒸気が再び凝縮してしまうのを防止することができ、汚泥の乾燥処理に要する時間をより一層短縮することができる。
【発明を実施するための最良の形態】
【００１６】
以下に、本発明に係る汚泥乾燥装置の具体的な構成を図面を参照しながら説明する。
【００１７】
図１〜図６に示すように、汚泥乾燥装置１は、本体２に汚泥３を循環させるための汚泥循環手段４を取付けた構成となっている。
【００１８】
本体２は、汚泥３を収容するための汚泥収容槽５の下部に４本の支持脚６を取付けている。この汚泥収容槽５は、上部に開口７を形成し、この開口７から汚泥を投入できるようにしている。また、汚泥収容槽５は、左右一対の底壁8,9を中心部に向けて傾斜状に形成している。
【００１９】
汚泥循環手段４は、本体２の底部と上部開口部とを連通する汚泥循環通路10を形成している。この汚泥循環通路10は、汚泥収容槽５の底部に水平状に取付けた水平通路11と、汚泥収容槽５の前部垂直状に取付けた垂直通路12と、汚泥収容槽５の上部開口部に取付けたエルボー状の排出通路13とで構成している。
【００２０】
また、汚泥循環手段４は、水平通路11の上部を汚泥収容槽５に連通連結することによって汚泥循環通路10の入口14を形成する一方、排出通路13の先端部に汚泥循環通路10の出口15を形成するとともに、水平通路11と垂直通路12の内部にスパイラルコンベア16,17を取付けている。
【００２１】
各スパイラルコンベア16,17は、本体２の支持脚６に取付けた駆動モータ18,19に連動機構20,21を介して連動連結されている。
【００２２】
これにより、汚泥循環手段４は、駆動モータ18,19を駆動することによって、汚泥収容槽５に収容された汚泥３を汚泥収容槽５の底部の入口14から汚泥収容槽５の上部開口部の出口15へとスパイラルコンベア16,17で撹拌しながら搬送して、汚泥収容槽５の内部に収容された汚泥３を循環させるようにしている。
【００２３】
また、汚泥循環手段４は、汚泥循環通路10の内周部に加熱手段22（ヒーター）を取付けている。
【００２４】
これにより、汚泥循環手段４は、汚泥循環通路10の内部を循環する汚泥３を加熱手段22で加熱し、汚泥３に含有されている水分を蒸発させ、汚泥３を乾燥させるようにしている。
【００２５】
また、汚泥循環手段４は、汚泥循環通路10の外周部にケーシング23,24を取付け、ケーシング23,24と汚泥循環通路10との間に断熱剤25としての石灰を収容している。
【００２６】
これにより、汚泥循環手段４は、加熱手段22によって加熱された汚泥循環通路10の内部温度を高温のまま維持できるようにしている。
【００２７】
汚泥乾燥装置１は、以上のように構成しており、汚泥収容槽５の上部の開口７から汚泥３を投入し、汚泥循環手段４によって汚泥収容槽５の底部と上部開口部との間で循環され、その際に加熱手段22によって汚泥３の乾燥が行われるようになっている。
【００２８】
このように、上記構成の汚泥乾燥装置１では、汚泥３を収容するための汚泥収容槽５に汚泥３を循環させるための汚泥循環手段４を設けるとともに、この汚泥循環手段４に汚泥３を加熱するための加熱手段22を設けているために、加熱手段22によって汚泥収容槽５の内部の汚泥３を全体的に同時に加熱する必要がなくなり、汚泥循環手段４によって循環する少量の汚泥３だけを加熱手段22で加熱すればよくなる。
【００２９】
そのため、加熱手段22で加熱する汚泥３の量を少なくすることができ、これによって、加熱手段22として小規模な装置を使用することができ、乾燥処理に要するエネルギー（火力や電力など）を低減することができるので、汚泥乾燥装置１に要する設備コストやランニングコストを低減することができる。
【００３０】
しかも、加熱手段22で加熱する汚泥３の量が少なくなることで、汚泥３の内部の水分が蒸発する温度に達するまでの時間を短くすることができ、汚泥３の乾燥処理に要する時間を短縮することができる。
【００３１】
特に、上記汚泥乾燥装置１では、汚泥循環手段４によって汚泥３を撹拌しながら搬送することで汚泥３を循環させるようにしているために、循環する汚泥３を全体的に均一に加熱することができ、循環する汚泥３を全体的に均一に乾燥させることができる。
【００３２】
また、上記汚泥乾燥装置１では、汚泥収容槽５の底部に汚泥循環通路10の入口14を形成するとともに、汚泥収容槽５の上部開口部に汚泥循環通路10の出口15を形成しているために、汚泥循環通路10で加熱された汚泥３が汚泥収容槽５の上部開口部で大気に開放されることになり、加熱により生じた蒸気を良好に大気に放出することができるので、循環された汚泥３が蒸気を含有したまま汚泥収容槽５に戻ることがなく、汚泥収容槽５で蒸気が再び凝縮してしまうのを防止することができ、汚泥３の乾燥処理に要する時間をより一層短縮することができる。
【図面の簡単な説明】
【００３３】
【図１】本発明に係る汚泥乾燥装置を示す正面図。
【図２】同側面図。
【図３】同背面図。
【図４】同平面図。
【図５】同正面断面図。
【図６】同側面断面図。
【符号の説明】
【００３４】
１  汚泥乾燥装置
２  本体
３  汚泥
４  汚泥循環手段
５  汚泥収容槽
６  支持脚
７  開口
8,9  底壁
10  汚泥循環通路
11  水平通路
12  垂直通路
13  排出通路
14  入口
15  出口
16,17  スパイラルコンベア
18,19  駆動モータ
20,21  連動機構
22  加熱手段
23,24  ケーシング
25  断熱剤
【図１】
2007139365.tif 000003
【図２】
2007139365.tif 000004
【図３】
2007139365.tif 000005
【図４】
2007139365.tif 000006
【図５】
2007139365.tif 000007
【図６】
2007139365.tif 000008